(57)【要約】【課題】保温材の組付け性の向上を図ると共に、組付けの為の専用部材を省略して製作コストの低減を図った貯湯タンクの保温材構造を提供すること。【解決手段】円筒形状の貯湯タンクＴの周囲を覆う保温材１は合成樹脂発泡体製の成形材であって、貯湯タンクＴの上端側部分を覆う天部材２と、貯湯タンクＴの胴部Ｔｂの外周面の半分を夫々覆う第１，第２縦分割部材３，４とを備え、第１，第２縦分割部材３，４は、貯湯タンクＴの底部Ｔｃの一部を覆うように構成され、第１縦分割部材３の下部と第２縦分割部材４の下部とを互いに連結固定する為の係合構造１０が設けられ、係合構造１０を介して、貯湯タンクＴの胴部Ｔｃを覆うように第１縦分割部材３の下部と第２縦分割部材４の下部とを係合した後に、天部材２を第１縦分割部材３の上端部と第２縦分割部材４の上端部とに外嵌させることによって保温材１の固定を行う。【選択図】  図１
2013177993.tif 000002
【特許請求の範囲】
【請求項１】
円筒形状の貯湯タンクの周囲を保温材で覆う貯湯タンクの保温材構造において、
前記保温材は合成樹脂発泡体製の成形材であって、前記貯湯タンクの上端側部分を覆う天部材と、前記貯湯タンクの胴部の外周面の半分を夫々覆う第１，第２縦分割部材とを備え、
前記第１，第２縦分割部材のうちの少なくとも一方は、前記貯湯タンクの底部の一部を覆うように構成され、
前記第１縦分割部材の下部と前記第２縦分割部材の下部とを互いに連結固定する為の係合構造が設けられ、
前記係合構造を介して、前記貯湯タンクの胴部を覆うように前記第１縦分割部材の下部と前記第２縦分割部材の下部とを係合した後に、前記天部材を前記第１縦分割部材の上端部と前記第２縦分割部材の上端部とに外嵌させることによって前記保温材の固定を行うことを特徴とする貯湯タンクの保温材構造。
【請求項２】
前記係合構造は、前記第１，第２縦分割部材の係合状態では前記第１，第２縦分割部材が水平方向へ離隔しないように規制する水平方向規制部を備えたことを特徴とする請求項１に記載の貯湯タンクの保温材構造。
【請求項３】
前記係合構造は、前記第１，第２縦分割部材の係合状態では前記第１，第２縦分割部材が上下方向へ離隔しないように規制する上下方向規制部を備えたことを特徴とする請求項１又は２に記載の貯湯タンクの保温材構造。
【請求項４】
前記係合構造は、前記第１縦分割部材の下部に形成され且つ前記第２縦分割部材側へ向って突出する係合突部と、前記第２縦分割部材の下部に形成され且つ前記係合突部が係合可能な係合凹部とを有することを特徴とする請求項１〜３の何れか１項に記載の貯湯タンクの保温材構造。
【発明の詳細な説明】
【技術分野】
【０００１】
本発明は貯湯タンクの保温材構造に関し、特に貯湯タンクの周囲を覆う保温材の組付け性の向上及び製作コストの低減を図った貯湯タンクの保温材構造に関する。
【背景技術】
【０００２】
従来から、大容量の湯水を貯留可能な貯湯タンクを備え、１又は複数の給湯先に湯水を供給する貯湯式給湯器が実用に供されている。この貯湯式給湯器は、貯湯タンクの湯水を、例えば、ヒートポンプ回路を有する熱源ユニットや、貯湯タンクの内部に設置された加熱用ヒータ等で加熱して、その加熱された湯水を貯湯タンクに貯留しておき、給湯栓や風呂などに給湯するものである。
【０００３】
ところで、上記の貯湯タンクにおいて、一般的に、その周囲は断熱機能を有する合成樹脂発泡体からなる保温材によって覆われている。この種の保温材は、貯湯タンクの外周形状に沿って組み付け可能な複数の分割部材から構成されている。保温材の構造としては、例えば、以下の特許文献１，２のような構造が実用に供されている。
【０００４】
特許文献１の貯湯タンクにおいて、貯湯缶体の保温材構造は、底部断熱材と天部断熱材と前面断熱材と背面断熱材とからなる４分割体で構成され、これら複数の断熱材は、貯湯缶体を覆うように組み付けられ、各々に形成された位置決め用の嵌合凹凸部を介して一体的に係合されている。尚、係合状態における断熱材同士の固定には、一般的に粘着テープやバンド等の部材を介して固定される。
【０００５】
一方、上述の粘着テープやバンド等の部材を省略した保温材構造も開示されている。特許文献２の貯湯タンクにおいて、貯湯タンクの保温材構造は、２つの半円筒状断熱材と半球状の底部断熱材と半球状の天部断熱材とからなる４分割体で構成され、２つの半円筒状断熱材は、その周方向側縁部同士を突き合わせた状態で形成される複数の嵌合孔に、複数のＨ文字形の連結部材を嵌合することで円筒状に一体的に固定され、２つの半円筒状断熱材の上下両端部に天部断熱材と底部断熱材とが配設される。
【先行技術文献】
【特許文献】
【０００６】
【特許文献１】特許第３５６１２３９号公報
【特許文献２】特開２００９−４７３７５号公報
【発明の概要】
【発明が解決しようとする課題】
【０００７】
しかし、特許文献１の保温材構造では、一般的に、貯湯タンクを複数の断熱材で覆った後に、これら複数の断熱材の外周部を粘着テープやバンド等の部材を介して互いに連結固定する必要があるので、貯湯タンクに対する保温材の組み付け作業に手間が掛かり、コスト高になる。
【０００８】
また、特許文献２の保温材構造のように、粘着テープやバンド等の部材を使用しない場合であっても、複数の嵌合孔を形成してから複数のＨ文字形の連結部材を嵌め合わせる構造上、係合構造が複雑化してしまい、成形用金型の構造も複雑化して製作コストが高価になる。また、複数の連結部材等の専用部材を使用して組み付けるので、特許文献１と同様に、組付け作業に手間が掛かり、コストが高くなる。
【０００９】
本発明は、貯湯タンクに対する保温材の組付け性の向上を図った貯湯タンクの保温材構造を提供すること、組付けの為の専用部材を省略して製作コストの低減を図った貯湯タンクの保温材構造を提供すること、等である。
【課題を解決するための手段】
【００１０】
請求項１の貯湯タンクの保温材構造は、円筒形状の貯湯タンクの周囲を保温材で覆う貯湯タンクの保温材構造において、前記保温材は合成樹脂発泡体製の成形材であって、前記貯湯タンクの上端側部分を覆う天部材と、前記貯湯タンクの胴部の外周面の半分を夫々覆う第１，第２縦分割部材とを備え、前記第１，第２縦分割部材のうちの少なくとも一方は、前記貯湯タンクの底部の一部を覆うように構成され、前記第１縦分割部材の下部と前記第２縦分割部材の下部とを互いに連結固定する為の係合構造が設けられ、前記係合構造を介して、前記貯湯タンクの胴部を覆うように前記第１縦分割部材の下部と前記第２縦分割部材の下部とを係合した後に、前記天部材を前記第１縦分割部材の上端部と前記第２縦分割部材の上端部とに外嵌させることによって前記保温材の固定を行うことを特徴としている。
【００１１】
請求項２の貯湯タンクの保温材構造は、請求項１の発明において、前記係合構造は、前記第１，第２縦分割部材の係合状態では前記第１，第２縦分割部材が水平方向へ離隔しないように規制する水平方向規制部を備えたことを特徴としている。
【００１２】
請求項３の貯湯タンクの保温材構造は、請求項１又は２の発明において、前記係合構造は、前記第１，第２縦分割部材の係合状態では前記第１，第２縦分割部材が上下方向へ離隔しないように規制する上下方向規制部を備えたことを特徴としている。
【００１３】
請求項４の貯湯タンクの保温材構造は、請求項１〜３の何れか１項の発明において、前記係合構造は、前記第１縦分割部材の下部に形成され且つ前記第２縦分割部材側へ向って突出する係合突部と、前記第２縦分割部材の下部に形成され且つ前記係合突部が係合可能な係合凹部とを有することを特徴としている。
【発明の効果】
【００１４】
請求項１の発明によれば、第１縦分割部材の下部と第２縦分割部材の下部とを、係合構造を介して互いに連結固定し、この後に、天部材を第１縦分割部材の上端部と第２縦分割部材の上端部とに外嵌させることによって保温材の固定を行うので、貯湯タンクに対して簡単な作業で保温材を固定することができ、保温材の組付け性を著しく向上させることができる。
【００１５】
また、第１，第２縦分割部材同士を固定する為に専用部材、粘着テープやバンド等を必要としないので、保温材を構成する部品点数を低減することができ、製作コストを低減することができる。さらに、保温材を取り外す場合、天部材を取り外してから、係合構造の係合状態を解除することで第１，第２縦分割部材を分解可能なので、保温材の取り外しも容易となり、メンテナンス性が向上する。粘着テープやバンド等の保温材とは別素材のものが無いので、保温材を廃棄する際に分別が容易となる。
【００１６】
請求項２の発明によれば、係合構造は、第１，第２縦分割部材が水平方向へ離隔しないように規制する水平方向規制部を備えたので、この水平方向規制部により第１縦分割部材の下部と第２縦分割部材の下部との水平方向への相対移動が規制され、第１縦分割部材を第２縦分割部材に確実に係合状態に保持する。
【００１７】
請求項３の発明によれば、係合構造は、第１，第２縦分割部材が上下方向へ離隔しないように規制する上下方向規制部を備えたので、この上下方向規制部により第１縦分割部材の下部と第２縦分割部材の下部との上下方向への相対移動が規制され、第１縦分割部材を第２縦分割部材に確実に係合状態に保持する。
【００１８】
請求項４の発明によれば、係合構造は、第１縦分割部材の下部に形成され且つ第２縦分割部材側へ向って突出する係合突部と、第２縦分割部材の下部に形成され且つ係合突部が係合可能な係合凹部とを有するので、第１縦分割部材の下部と第２縦分割部材の下部とを簡単な係合構造を介して係合することができる。
【図面の簡単な説明】
【００１９】
【図１】本発明の実施例にかかる保温材の斜視図である。
【図２】保温材の分解斜視図である。
【図３】保温材の横断面図（図１のIII-III線断面図）である。
【図４】保温材の部分縦断面図である。
【図５】係合状態における保温材の要部拡大側面図である。
【図６】組み付け時の途中状態を示す保温材の要部拡大側面図である。
【図７】変更形態にかかる保温材の係合構造の横断面図である。
【図８】図７の要部拡大図である。
【発明を実施するための形態】
【００２０】
以下、本発明を実施するための形態について実施例に基づいて説明する。
【実施例】
【００２１】
本発明は、貯湯タンクの保温材構造に関するものであるが、最初に、本発明の保温材１で覆われる貯湯タンクＴについて簡単に説明する。
【００２２】
図２の仮想線で示すように、貯湯タンクＴは、熱源ユニットや加熱ヒータで加熱された高温の温水を貯留するものであり、耐腐食性に優れたステンレス板製の胴部材とその上下両端を塞ぐ１対の鏡板とで構成されている。即ち、貯湯タンクＴは、上端部の曲面状の天部Ｔａと、縦長筒状の外周面を有する胴部Ｔｂと、下端部の曲面状の底部Ｔｃとから一体的に構成されている。
【００２３】
貯湯タンクＴには、給水用配管、湯水循環配管、出湯用配管等が夫々接続され、給水用配管を介して水道水を貯湯タンクＴ内に補充可能となっており、湯水循環配管を介して湯水が加熱され、出湯用配管を介して貯湯タンクＴ内に貯留された高温の温水（例えば、８０〜９０℃）を供給することができる。
【００２４】
次に、保温材１の構造について説明する。
図１〜図６に示すように、保温材１は、例えば、発泡ポリプロピレン、発泡ポリスチレン等からなる合成樹脂発泡体製の成形材であって、円筒形状の貯湯タンクＴの周囲を覆って貯湯タンクＴに貯留された温水の放熱を防ぐ断熱機能を有するものである。
【００２５】
保温材１は、複数の分割部材から構成されるものであり、貯湯タンクＴの上端側部分（天部Ｔａと胴部Ｔｂの上端部）を覆う天部材２と、貯湯タンクＴの胴部Ｔｂの外周面の半分を夫々覆うと共に、貯湯タンクＴの底部Ｔｃの一部も夫々覆う第１，第２縦分割部材３，４とを備えている。
【００２６】
次に、天部材２について説明する。
図１，図２，図４に示すように、天部材２は、貯湯タンクＴの上端側部分の外周面形状と略同じ内周面形状を有する下方開放の断面Ｕ字状の蓋状に構成され、貯湯タンクＴの天部Ｔａと胴部Ｔｂの上端部とを覆う。天部材２の下端部の内径側部分（内周側部分）には、環状凹部２ａが形成されている。天部材２の外径側部分（外周側部分）の円筒面には、周方向等間隔に縦方向に延びる４つの平坦部２ｂが形成されている。尚、４つの平坦部２ｂのうち前側にある平坦部２ｂは溝付き形状に形成されている。
【００２７】
天部材２の上端部には、上下方向に貫通する略長方形状の開口部２ｃと、この開口部２ｃに連なり且つ平面視Ｄ字形の浅い凹部２ｄと、Ｄ字形の受面２ｅとが形成されている。この凹部２ｄには、開口部２ｃを覆う蓋部材２ｆが受面２ｅに密着状に装着され、蓋部材２ｆの下端部と受面２ｅの上端部とに亙って複数の挿通溝２ｇが形成されている。貯湯タンクＴに接続される各種配管のうち、貯湯タンクＴの上側に接続される湯水循環配管の戻り配管や出湯配管等の複数の配管が、挿通溝２ｇと開口部２ｃとを通って貯湯タンクＴの上部に夫々接続される。
【００２８】
次に、第１縦分割部材３について説明する。
図１〜図６に示すように、第１縦分割部材３は、その大部分を構成する半円筒状部５と、この半円筒状部５の下端部に一体的に形成された１対の円弧状の底板部６とから一体的に形成されている。第１縦分割部材３は、貯湯タンクＴの胴部Ｔｂの前側半分と底部Ｔｃの前側一部とを覆う。
【００２９】
半円筒状部５の周方向両端部の内径側部分には、縦方向の略全長に亙って１対の嵌合凹部５ａが夫々形成されている。半円筒状部５の上端部には、上方に突出する半円状突部５ｂが形成されている。尚、半円筒状部５の下端部の周方向両端部には、１対の嵌合凹部５ａに代えて、係合構造１０の１対の係合突部１１が夫々形成されている。
【００３０】
次に、第２縦分割部材４について説明する。
図１〜図６に示すように、第２縦分割部材４は、その大部分を構成する半円筒状部７と、この半円筒状部７の下端部に一体的に形成された略半円状の底板部８とから一体的に形成されている。第２縦分割部材４は、貯湯タンクＴの胴部Ｔｂの後側半分と底部Ｔｃの後側一部とを覆う。
【００３１】
半円筒状部７の周方向両端部の外形側部分には、縦方向の略全長に亙って１対の嵌合凸部７ａが夫々形成されている。半円筒状部７の上端部には、上方に突出する半円状突部７ｂが形成されている。尚、半円筒状部７の下端部の周方向両端部には、１対の嵌合凸部７ａに代えて、係合構造１０の１対の係合凹部１２が夫々形成されている。
【００３２】
図１，図３，図４に示すように、第１，第２縦分割部材３，４の組み付け状態では、貯湯タンクＴの胴部Ｔｂの外周面形状と略同じ内周面形状を有する円筒状に構成され、貯湯タンクＴの胴部Ｔｂの上端部を除いた大部分と底部Ｔｃの一部とを覆うことができる。第１，第２縦分割部材３，４の上端部には、天部材２の環状凹部２ａが外嵌可能な半円状突部５ｂ，７ｂからなる環状凸部が形成される。
【００３３】
第１，第２縦分割部材３，４の内径側の境界部分には、縦方向に延びる１対の平坦部９ａが形成されている。第１，第２縦分割部材３，４の外径側部分の円筒面には、天部材２の４つの平坦部２ｂと同一平面をなす４つの平坦面９ｂが形成されている。４つの平坦面９ｂのうち３つの平坦面９ｂには、複数の細長い水平突起部９ｃが上下方向に等間隔に形成されている。天部材２と第１，第２縦分割部材３，４の内径側部分には、貯湯タンクＴと保温材１との間に薄い空気層を形成する為の複数の環状突起部２ｈ，９ｄが夫々形成されている。
【００３４】
図４に示すように、１対の円弧状の底板部６と半円状の底板部８との間には、半円状の開口部９ｅが形成され、貯湯タンクＴに接続される各種配管のうち、貯湯タンクＴの下側に接続される湯水循環配管の往き配管や給水配管等の複数の配管が、この開口部９ｅを通って貯湯タンクＴの下部に夫々接続される。１対の円弧状の底板部６間と半円状の底板部８の左右両端側に、貯湯タンクＴの３本の脚部が挿通する３つの挿通孔９ｆが夫々形成されている。
【００３５】
次に、係合構造１０について説明する。
図１，図２，図５，図６に示すように、保温材１には、第１縦分割部材３の下端部と第２縦分割部材４の下端部とを互いに連結固定する為の係合構造１０が設けられている。この係合構造１０は、上述したように、１対の係合突部１１と１対の係合凹部１２とを有するものである。
【００３６】
尚、１対の係合突部１１は同じ形状のものであり、１対の係合凹部１２も同じ形状のものであるので、以下の説明では、第１，第２縦分割部材３，４を係合する片側の１組の係合突部１１と係合凹部１２について説明する。
【００３７】
係合突部１１は、第２縦分割部材４側へ向って下り傾斜状に突出するように半円筒状部５の下端部の周方向端部に形成されている。係合凹部１２は、係合突部１１が係脱自在に係合可能であり、係合突部１１の形状と略同じ形状となるように半円筒状部７の下端部の周方向端部に形成されている。
【００３８】
さらに、係合構造１０は、第１，第２縦分割部材３，４が係合した状態では、第１，第２縦分割部材３，４が水平方向へ離隔しないように規制する水平方向規制部１３と、第１，第２縦分割部材３，４を係合する際に案内すると共に、第１，第２縦分割部材３，４が係合した状態では、第１，第２縦分割部材３，４が上下方向へ離隔しないように規制する上下方向規制部１４とを備えている。
【００３９】
図５，図６に示すように、水平方向規制部１３は、係合突部１１の先端に形成された先端凸部１１ａと、係合凹部１２の下端に形成され且つ先端凸部１１ａが係止可能な奥端凹部１２ａとを備えている。尚、先端凸部１１ａは、全体的にやや丸みを帯びた形状に形成され、係合凹部１２への挿入性を向上させている。
【００４０】
この水平方向規制部１３によれば、第１縦分割部材３と第２縦分割部材４とが係合された図５に示す状態では、先端凸部１１ａが奥端凹部１２ａに係止され、第１縦分割部材３の下端部と第２縦分割部材４の下端部との前後方向（水平方向）への相対移動が規制される。
【００４１】
図５，図６に示すように、上下方向規制部１４は、係合突部１１の上側部分に形成され且つ係合突部１１を係合凹部１２に挿入する際に案内可能な下方に傾斜した案内部１１ｂと、係合凹部１２の上側部分に形成され且つ案内部１１ｂと同じ方向に傾斜した傾斜部１２ｂとを備えている。
【００４２】
この上下方向規制部１４によれば、第１縦分割部材３を第２縦分割部材４に係合する際は、案内部１１ｂを傾斜部１２ｂに当接させながら、係合突部１１の先端を係合凹部１２の奥方へ案内可能なので、スムーズに係合することができ、第１縦分割部材３と第２縦分割部材４とが係合された状態では、案内部１１ｂが傾斜部１２ｂに当接することで、第１縦分割部材３の下端部と第２縦分割部材４の下端部との上下方向への相対移動が規制される。また、この上下方向規制部１４により、第１，第２縦分割部材３，４の半円状突部５ｂ，７ｂとからなる環状凸部の形状のズレを防止することができる。
【００４３】
次に、本発明の貯湯タンクＴの保温材１の構造の作用及び効果について説明する。
貯湯タンクＴに保温材１を組み付ける際、先ずは、貯湯タンクＴの胴部Ｔｂの後側半分と底部Ｔｃの後側の一部とを覆うように、第２縦分割部材４を貯湯タンクＴの後方から組み付け、この第２縦分割部材４を貯湯タンクＴに対して組付けた状態を維持したまま、次に、貯湯タンクＴの胴部Ｔｂの前側半分と底部Ｔｃの前側の一部とを覆う為に、第１縦分割部材３を貯湯タンクＴの前方から組み付ける。
【００４４】
このとき、図６に示すように、第１縦分割部材３の下部を第２縦分割部材４に向けた斜め姿勢の状態にして、係合突部１１を係合凹部１２に挿入し、係合突部１１の先端凸部１１ａが係合凹部１２の奥端凹部１２ａに達してから、第１縦分割部材３を正規の姿勢になるように起こすと、図５に示すように、係合構造１０は、水平方向規制部１３の先端凸部１１ａが奥端凹部１２ａに係止されると共に上下方向規制部１４の案内部１１ｂが傾斜部１２ｂに当接された係合状態になる。
【００４５】
同時に、第１縦分割部材３の周方向両端部の１対の嵌合凹部５ａを第２縦分割部材４の周方向両端部の１対の嵌合凸部７ａに外嵌させて、第１，第２縦分割部材３，４により貯湯タンクＴの胴部Ｔｂの大部分の周囲と底部Ｔｃの一部を覆う。
【００４６】
そして、係合構造１０を介して、第１縦分割部材３の下部と第２縦分割部材４の下部とを係合した後に、貯湯タンクＴの上端側部分を覆う為に、天部材２を貯湯タンクＴの上方から被せて、天部材２の下端部の環状凹部２ａを第１，第２縦分割部材３，４の環状凸部（半円状突部５ｂ，７ｂ）に外嵌させることで、天部材２により第１，第２縦分割部材３，４の上端部を内側に締め付けるように固定し、貯湯タンクＴに対して保温材１の固定を行う。
【００４７】
本発明の保温材１の構造によれば、第１縦分割部材３の下部と第２縦分割部材４の下部とを、係合構造１０を介して互いに連結固定し、この後に、天部材２を第１縦分割部材３の上端部と第２縦分割部材４の上端部とに外嵌させることによって保温材１の固定を行うので、貯湯タンクＴに対して簡単な作業で保温材１を固定することができ、保温材１の組付け性を著しく向上させることができる。
【００４８】
また、第１，第２縦分割部材３，４同士を固定する為に専用部材、粘着テープやバンド等を必要としないので、保温材１を構成する部品点数を低減することができ、製作コストを低減することができる。さらに、保温材１を取り外す場合、天部材２を取り外してから、係合構造１０の係合状態を解除することで第１，第２縦分割部材３，４を分解可能なので、保温材１の取り外しも容易となり、メンテナンス性が向上する。粘着テープやバンド等の保温材１とは別素材のものが無いので、保温材１を廃棄する際に分別が容易となる。
【００４９】
次に、前記実施例を部分的に変更した形態について説明する。
［１］図７，図８に示すように、係合構造１０Ａは、第１縦分割部材３Ａの下端部に形成され且つ第２縦分割部材４Ａ側へ向って突出する係合突部１１Ａと、第２縦分割部材４Ａの下端部に形成され且つ係合突部１１Ａが係合可能な係合凹部１２Ａとを有する。
【００５０】
尚、図示は省略するが、前記実施例の１対の嵌合凹部５ａと１対の嵌合凸部７ａも同様に、第１，第２縦分割部材３Ａ，４Ａに夫々形成されており、第１，第２縦分割部材３Ａ，４Ａの下端部の周方向両端部の嵌合凹部５ａと嵌合凸部７ａに代えて上記の係合突部１１Ａと嵌合凹部１２Ａとが夫々形成されている。
【００５１】
第１縦分割部材３Ａを第２縦分割部材４Ａに係合する際、第１縦分割部材３Ａを第２縦分割部材４Ａに対して上方にズラした状態で、第１縦分割部材３Ａの嵌合凹部５ａを第２縦分割部材４Ａの嵌合凸部７ａに外嵌し、その後、第１縦分割部材３Ａを下方にスライドすることで、係合突部１１Ａを係合凹部１２Ａに係合させて、第１，第２縦分割部材３Ａ，４Ａを係合状態にする。この構成によれば、前記実施例の係合構造１０よりも簡単な構造で、第１縦分割部材３Ａが第２縦分割部材４Ａに対して水平方向への移動が規制される。
【００５２】
［２］前記係合構造１０において、係合突部１１は第１縦分割部材３の下端部の周方向両端部に形成され、係合凹部１２は第２縦分割部材４の下端部の周方向両端部に形成されているが、この構造に限定する必要はなく、係合突部１１と係合凹部１２とが逆になるように形成されても良いし、第１，第２縦分割部材３，４の下端部に限定せずに下部の周方向両端部に形成されても良い。
【００５３】
［３］前記第１縦分割部材３が貯湯タンクＴの胴部Ｔｂの前側半分を覆い、第２縦分割部材４が貯湯タンクＴの胴部Ｔｂの後側半分を覆うようにしているが、特にこの構成に限定する必要はなく、貯湯タンクＴの胴部Ｔｂの左右半分ずつを第１，第２縦分割部材３，４で覆うようにしても良い。
【００５４】
［４］その他、当業者であれば、本発明の趣旨を逸脱することなく、前記実施例に種々の変更を付加した形態で実施可能であり、本発明はそのような変更形態を包含するものである。
【符号の説明】
【００５５】
Ｔ  貯湯タンク
Ｔａ  天部
Ｔｂ  胴部
Ｔｃ  底部
１  保温材
２  天部材
３，３Ａ  第１縦分割部材
４，４Ａ  第２縦分割部材
１０，１０Ａ  係合構造
１１，１１Ａ  係合突部
１２，１２Ａ  係合凹部
１３  水平方向規制部
１４  上下方向規制部
【図１】
2013177993.tif 000003
【図２】
2013177993.tif 000004
【図３】
2013177993.tif 000005
【図４】
2013177993.tif 000006
【図５】
2013177993.tif 000007
【図６】
2013177993.tif 000008
【図７】
2013177993.tif 000009
【図８】
2013177993.tif 000010